(57)【特許請求の範囲】
【請求項１】
戸板のスライド方向を規制して戸板のスライド操作を案内するスライド案内機構を装備したスライドドアの開閉装置において、２枚の戸板がスライド操作によって選択的に開閉され、閉鎖時に２枚の戸板が同一の面に展開され開放時に一方の戸板が他方の戸板に重ねられるものに適用され、スライド案内機構はレールとレールを走行する走行体とからなり走行体が走行する案内路が２条設けられたレールが長さ方向で半部に分割され案内路を選択的に連結する位置に回動可能に軸支され、戸板が上下方向に配置されて戸板のスライド操作の降下の際に抵抗力を発揮し戸板のスライド操作の上昇の際に助勢力を発揮するスライド補助機構が備えられ、スライド案内機構とスライド補助機構とは大部分が戸板付近に固定的に配置された固定配置部材に共通の取付基板を介して取付けられ、スライド案内機構のレールの回動域を規制する回動域規制機構が備えられていることを特徴とするスライドドアの開閉装置。
【請求項２】
戸板のスライド方向を規制して戸板のスライド操作を案内するスライド案内機構を装備したスライドドアの開閉装置において、２枚の戸板がスライド操作によって選択的に開閉され、閉鎖時に２枚の戸板が同一の面に展開され開放時に一方の戸板が他方の戸板に重ねられるものに適用され、スライド案内機構はレールとレールを走行する走行体とからなり走行体が走行する案内路が２条設けられたレールが長さ方向で半部に分割され案内路を選択的に連結する位置に回動可能に軸支され、戸板が上下方向に配置されて戸板のスライド操作の降下の際に抵抗力を発揮し戸板のスライド操作の上昇の際に助勢力を発揮するスライド補助機構が備えられ、スライド案内機構とスライド補助機構とは大部分が戸板付近に固定的に配置された固定配置部材に共通の取付基板を介して取付けられ、スライド案内機構のレールの回動位置を保持する回動位置保持機構が備えられていることを特徴とするスライドドアの開閉装置。
【請求項３】
戸板のスライド方向を規制して戸板のスライド操作を案内するスライド案内機構を装備したスライドドアの開閉装置において、２枚の戸板がスライド操作によって選択的に開閉され、閉鎖時に２枚の戸板が同一の面に展開され開放時に一方の戸板が他方の戸板に重ねられるものに適用され、スライド案内機構はレールとレールを走行する走行体とからなり走行体が走行する案内路が２条設けられたレールが長さ方向で半部に分割され案内路を選択的に連結する位置に回動可能に軸支され、戸板が上下方向に配置されて戸板のスライド操作の降下の際に抵抗力を発揮し戸板のスライド操作の上昇の際に助勢力を発揮するスライド補助機構が備えられ、スライド案内機構とスライド補助機構とは大部分が戸板付近に固定的に配置された固定配置部材に共通の取付基板を介して取付けられ、スライド案内機構のレールの回動位置をロックするロック機構が備えられていることを特徴とするスライドドアの開閉装置。
【請求項４】
戸板のスライド方向を規制して戸板のスライド操作を案内するスライド案内機構を装備したスライドドアの開閉装置において、２枚の戸板がスライド操作によって選択的に開閉され、閉鎖時に２枚の戸板が同一の面に展開され開放時に一方の戸板が他方の戸板に重ねられるものに適用され、スライド案内機構はレールとレールを走行する走行体とからなり走行体が走行する案内路が２条設けられたレールが長さ方向で半部に分割され案内路を選択的に連結する位置に回動可能に軸支され、戸板が上下方向に配置されて戸板のスライド操作の降下の際に抵抗力を発揮し戸板のスライド操作の上昇の際に助勢力を発揮するスライド補助機構が備えられ、スライド案内機構とスライド補助機構とは大部分が戸板付近に固定的に配置された固定配置部材に共通の取付基板を介して取付けられ、戸板の開閉の隙間を閉塞するカバー機構が備えられていることを特徴とするスライドドアの開閉装置。
【発明の詳細な説明】
【技術分野】
【０００１】
本発明は、スライドドアの開閉装置に関する。
さらに詳しくは、戸板がスライド操作によって開閉され、閉鎖時に周囲と同一の面を形成し開放時に周囲に重ねられるスライドドアの開閉装置に関する。
【背景技術】
【０００２】
スライドドアは、戸板の前方側に開閉のためのスペースを大きく確保する必要がなく、閉鎖時に２枚の戸板が異なる面に展開される引戸に比して美観にも優れている。このため、居住空間の有効利用や整頓性を指向する家屋の内装品や家具等に広範に設置されている。
【０００３】
従来、スライドドアの開閉装置としては、２つの技術が知られている。これ等の技術は、２枚の戸板がスライド操作によって選択的に開閉され、閉鎖時に２枚の戸板が同一の面に展開され開放時に一方の戸板が他方の戸板に重ねられるものである。
【０００４】
１つの技術は、戸板のスライド操作を案内するスライド案内機構をレールとレールを走行する走行体とで構成して、レールの配設の形状を曲形，分岐形等に形成して戸板のスライド方向を規制するものである。この具体例としては、実開昭５９−１２０２６４号公報，特開昭５９−１４１６７９号公報，特開昭６０−１０９４７６号公報，特開昭６０−１４４４８０号公報，特開昭６０−１７５６８２号公報，特開昭６０−１７５６８３号公報，特開昭６０−１８４１７８号公報が挙げられる。
【０００５】
他１つの技術は、戸板のスライド操作を案内するスライド案内機構をレールとレールを走行する走行体と走行体，戸板の間に連結されたリンクとで構成して、リンクの動作で戸板のスライド方向を規制するものである。この具体例としては、特開平１−２２０６８号公報，特許第３０８０３４８号公報，特許第３０８０３４９号公報，特開２００２−２２７５０７号公報が挙げられる。
【０００６】
これ等の従来の技術では、スライド案内機構の構造が複雑化する割には戸板の開閉がスムースになされないという問題点がある。
【発明の開示】
【０００７】
本発明は、前述の問題点を考慮してなされたもので、スライド案内機構の構造が簡素であるにもかかわらず戸板の開閉がスムースになされるスライドドアの開閉装置を提供することを技術的課題とする。
【０００８】
この技術的課題の解決方法は、請求項１に記載のように、戸板のスライド方向を規制して戸板のスライド操作を案内するスライド案内機構を装備したスライドドアの開閉装置において、２枚の戸板がスライド操作によって選択的に開閉され、閉鎖時に２枚の戸板が同一の面に展開され開放時に一方の戸板が他方の戸板に重ねられるものに適用され、スライド案内機構はレールとレールを走行する走行体とからなり走行体が走行する案内路が２条設けられたレールが長さ方向で半部に分割され案内路を選択的に連結する位置に回動可能に軸支され、戸板が上下方向に配置されて戸板のスライド操作の降下の際に抵抗力を発揮し戸板のスライド操作の上昇の際に助勢力を発揮するスライド補助機構が備えられ、スライド案内機構とスライド補助機構とは大部分が戸板付近に固定的に配置された固定配置部材に共通の取付基板を介して取付けられ、スライド案内機構のレールの回動域を規制する回動域規制機構が備えられていることを特徴とするスライドドアの開閉装置として構成される。
【０００９】
この解決方法によると、スライド案内機構のレールの配設の形状等をレールの回動で代替えすることができるため、スライド案内機構の構造が簡素であるにもかかわらず戸板の開閉がスムースになされる。また、スライド案内機構のレールが回動することで、走行体が走行する案内路を乗換える。また、スライド補助機構によって戸板に掛かる重量荷重が調整され、戸板に掛かる重量荷重でスライド操作が重くなったり戸板が急速に落下したりすることがなくなって、上下方向に配置された戸板を安定的にスライド操作することができる。また、取付基板を介してスライド案内機構，スライド補助機構が一体的に搬送，取付工事される。また、回動域規制機構によってスライド案内機構のレールの必要以上の回動が阻止される。
【００１０】
この技術的課題の他の解決方法は、請求項２に記載のように、戸板のスライド方向を規制して戸板のスライド操作を案内するスライド案内機構を装備したスライドドアの開閉装置において、２枚の戸板がスライド操作によって選択的に開閉され、閉鎖時に２枚の戸板が同一の面に展開され開放時に一方の戸板が他方の戸板に重ねられるものに適用され、スライド案内機構はレールとレールを走行する走行体とからなり走行体が走行する案内路が２条設けられたレールが長さ方向で半部に分割され案内路を選択的に連結する位置に回動可能に軸支され、戸板が上下方向に配置されて戸板のスライド操作の降下の際に抵抗力を発揮し戸板のスライド操作の上昇の際に助勢力を発揮するスライド補助機構が備えられ、スライド案内機構とスライド補助機構とは大部分が戸板付近に固定的に配置された固定配置部材に共通の取付基板を介して取付けられ、スライド案内機構のレールの回動位置を保持する回動位置保持機構が備えられていることを特徴とするスライドドアの開閉装置として構成される。
【００１１】
この解決方法によると、回動位置保持機構によってスライド案内機構のレールの回動位置が不測に変更されなくなる。
【００１２】
この技術的課題の他の解決方法は、請求項３に記載のように、戸板のスライド方向を規制して戸板のスライド操作を案内するスライド案内機構を装備したスライドドアの開閉装置において、２枚の戸板がスライド操作によって選択的に開閉され、閉鎖時に２枚の戸板が同一の面に展開され開放時に一方の戸板が他方の戸板に重ねられるものに適用され、スライド案内機構はレールとレールを走行する走行体とからなり走行体が走行する案内路が２条設けられたレールが長さ方向で半部に分割され案内路を選択的に連結する位置に回動可能に軸支され、戸板が上下方向に配置されて戸板のスライド操作の降下の際に抵抗力を発揮し戸板のスライド操作の上昇の際に助勢力を発揮するスライド補助機構が備えられ、スライド案内機構とスライド補助機構とは大部分が戸板付近に固定的に配置された固定配置部材に共通の取付基板を介して取付けられ、スライド案内機構のレールの回動位置をロックするロック機構が備えられていることを特徴とするスライドドアの開閉装置として構成される。
【００１３】
この解決方法によると、ロック機構によってスライド案内機構のレールの回動がロックされる。
【００１４】
この技術的課題の他の解決方法は、請求項４に記載のように、戸板のスライド方向を規制して戸板のスライド操作を案内するスライド案内機構を装備したスライドドアの開閉装置において、２枚の戸板がスライド操作によって選択的に開閉され、閉鎖時に２枚の戸板が同一の面に展開され開放時に一方の戸板が他方の戸板に重ねられるものに適用され、スライド案内機構はレールとレールを走行する走行体とからなり走行体が走行する案内路が２条設けられたレールが長さ方向で半部に分割され案内路を選択的に連結する位置に回動可能に軸支され、戸板が上下方向に配置されて戸板のスライド操作の降下の際に抵抗力を発揮し戸板のスライド操作の上昇の際に助勢力を発揮するスライド補助機構が備えられ、スライド案内機構とスライド補助機構とは大部分が戸板付近に固定的に配置された固定配置部材に共通の取付基板を介して取付けられ、戸板の開閉の隙間を閉塞するカバー機構が備えられていることを特徴とするスライドドアの開閉装置として構成される。
【００１５】
この解決方法によると、戸板の間に指を挟込むことが防止される。
【図面の簡単な説明】
【００１６】
第１図は、本発明を実施するための最良の形態の第１例の簡略化した動作図であり、（Ａ）〜（Ｄ）に動作順が示されている。
第２図は、第１図の他の動作図であり、（Ａ）〜（Ｄ）に動作順が示されている。
第３図は、第１図，第２図の設置例を示す斜視図である。
第４図は、第１図，第２図の要部の分解された詳細図である。
第５図は、第４図の一部組立状態図である。
第６図は、第１図，第２図の要部の一部省略した詳細図である。
第７図は、第１図，第２図の全体の組立状態図である。
第８図は、第７図の拡大横断面図である。
第９図は、戸板の閉鎖状態図である。
第１０図は、戸板の開放の初期操作状態図である。
第１１図は、第１０図における要部の動作図である。
第１２図は、第１０図に続く操作状態図である。
第１３図は、第１２図における要部の動作図である。
第１４図は、戸板の開放状態図である。
第１５図は、発明を実施するための最良の形態の第２例の断面図である。
第１６図は、発明を実施するための最良の形態の第３例の斜視図である。
第１７図は、発明を実施するための最良の形態の第４例の斜視図である。
第１８図は、発明を実施するための最良の形態の第５例の斜視図である。
【発明を実施するための最良の形態】
【００１７】
第１図〜第１４図は、本発明を実施するための最良の形態の第１例を示すものである。
【００１８】
この第１例では、壁Ｗの内部に収容された家具等に設置されるものが示されている。
【００１９】
戸板Ａ，Ｂは、壁Ｗの開口部分の上下方向に配置され、上下方向にスライド操作されて開閉されるようになっている。この戸板Ａ，Ｂは、閉鎖時に壁Ｗと同一の面に展開され、開放時に一方の戸板Ａ，Ｂが他方の戸板Ａ，Ｂに重ねられるようになっている。戸板Ａ，Ｂには、無理な姿勢での開閉を避けるために、上下の縁辺付近に取手ａ，ｂがそれぞれ設けられている。
【００２０】
第１例は、第１図，第２図に示すように、大部分が左右１対の取付用基板１に取付けられる左右１対のスライド案内機構２，スライド補助機構３を主要部として構成されている。従って、工場出荷の際にある程度組立てておくことにより現場での取付工事を簡単にすることができる。
【００２１】
取付用基板１は、第４図に詳細に示されるように、側枠Ｐの外側面に上下方向へ延びて当接されネジ等で固定される当接片１１と、当接片１１の後側に大きく起立した起立片１２と、起立片１２の後側に小さく起立したガイド片１３とからなる。
【００２２】
スライド案内機構２は、戸板Ａ，Ｂのスライド方向を規制して戸板Ａ，Ｂのスライド操作を案内するもので、レール２１とレール２１を走行する走行体２２とからなる。レール２１は、第８図に詳細に示されるように、前後方向に走行体２２が走行する２条の箱形の案内路２１１，２１２が設けられ、案内路２１１，２１２の間に相対的に小さなロック機構スライド用溝２１３が設けられ、前側の案内路２１２の前側にカバー機構スライド用溝２１４が設けられている。このレール２１は、上半部，下半部に分割され上半部の上端付近と下半部の下端部付近とがそれぞれピン２１５で取付用基板１に前方側へ回動可能に支持されている。走行体２２は、第８図に詳細に示されるように、上側の戸板Ａの上端寄りと下側の戸板Ｂの下端寄りとに配置される取付ブラケット４に支持されたローラからなる。取付ブラケット４は、戸板Ａ，Ｂの裏面に固定されるＬ字形の戸板取付プレート４１と、走行体２２の回転軸を直交させて回転可能に支持する支持プレート４２と、レール２１のロック機構スライド用溝２１３に侵入したロック機構操作プレート４３とからなる。この走行体２２は、回転軸を直交させた２個が１組とされて１枚の戸板Ａ，Ｂについてそれぞれ２組が設けられ、それぞれレール２１の箱形の案内路２１１，２１２の相対する合計４面に案内される。従って、走行体２２がガタ付くことなくスムースにレールの２１の案内路２１１，２１２を走行する。
【００２３】
スライド補助機構３は、戸板Ａ，Ｂのスライド操作を補助するもので、取付ブラケット３１，ワイア３２，固定滑車３３，重り３４，動滑車３５からなる。取付ブラケット３１は、取付用基板１の上端部に固定されて固定滑車３３を回転可能に支持している。ワイア３２は、端末が戸板Ａ，Ｂ（取付ブラケット４の取付プレート４１の）に固定され固定滑車３３，動滑車３５に掛けられた共通の１本からなる。固定滑車３３は、ワイア３２の交錯を避けるために前後方向に位相された２個と、同軸に配置されて動滑車３５の直上に配置された２個とからなるもので、両戸板Ａ，Ｂ，重り３４の間でワイア３２にテンションを掛ける。重り３４は、取付用基板１の１２，ガイド片１３の間を昇降可能な方形のブロック体からなる。動滑車３５は、重り３４の上部に取付けられている。
【００２４】
さらに、この第１例では、スライド案内機構２のレール２１の回動域を規制する回動域規制機構５が設けられている。
【００２５】
この回動域規制機構５は、取付用基板１の当設片１１のほぼ中央に起立片１２と相対するように取付けられた門形のストッパ片５１と、スライド案内機構２のレール２１の回動先端部付近に取付けられストッパ片５１と取付用基板１の起立片１２との間に差込まれるＬ字形の係止片５２と、係止片５２に取付けられた緩衝材５３と、ストッパ片５１と取付用基板１の起立片１２とに当接固定された当板５４，５５とからなる。スライド案内機構２のレール２１の回動域は、係止片５２の当板５４，５５への当接によって規制され、後側に回動した際にレール２１が直線状となり、前側に回動した際に回動したレール２１の後側の案内路２１１が回動していないレール２１の前側の案内路２１２に連通される。緩衝材５３は、係止片５２の当板５４，５５への当接の衝突音を減衰し衝突摩耗を防止する。
【００２６】
さらに、この第１例では、スライド案内機構２のレール２１の回動位置を保持する回動位置保持機構６が設けられている。
【００２７】
この回動位置保持機構６は、スライド案内機構２のレール２１の回動先端部付近に取付けられた羽根プレート６１と、羽根プレート６１と回動域規制機構５のストッパ片５１との間に掛渡されたトーションコイルスプリング６２とからなる。トーションコイルスプリング６２は、スライド案内機構２のレール２１の回動に応動して変位し前側，後側への回動位置をそれぞれ弾圧して保持する。
【００２８】
さらに、この第１例では、スライド案内機構２のレール２１の回動位置をロックするロック機構７が設けられている。
【００２９】
このロック機構７は、第１３図に詳細に示されるように、スライド案内機構２のレール２１のロック機構スライド用溝２１３にスライド可能に収容されレール２１の回動先端部付近に位置されるスライドブロック７１と、スライドブロック７１に連結されてロック機構スライド用溝２１３の内部に配設されたシャフト７２と、ロック機構スライド用溝２１３の内部に固定されてシャフト７２を長さ方向の２箇所で支持するコ字形のガイド７３と、シャフト７２のスライドブロック７１とは反対側の端部に固定されロック機構スライド用溝２１３の内部にスライド可能に収容された山形ブロックの操作ブロック７４と、スライドブロック７１とガイド７３との間に掛渡されスライドブロック７１をレール２１の回動先端部側へ弾圧付勢するコイルスプリング７５とからなる。操作ブロック７４は、戸板Ａ，Ｂに取付けられた取付ブラケット４のロック機構操作プレート４３にコイルスプリング７５の弾圧に抗して係止され、戸板Ａ，Ｂの開閉に伴うロック機構操作プレート４３のスライドでコイルスプリング７５の弾圧を作用させてスライドブロック７１をレール２１の回動先端部から突出される。突出したスライドブロック７１は、レール２１のカバー機構スライド用溝２１４の前側の案内路２１２寄りに係止され、レール２１の回動位置をロックする。なお、スライドブロック７１の突出限界は、操作ブロック７４寄りのガイド７３と操作ブロック７４との当接によって決定される。従って、スライドブロック７１が必要以上に突出することはない。
【００３０】
さらに、この第１例では、戸板Ａ，Ｂの開閉の隙間を閉塞するカバー機構８が設けられている。
【００３１】
このカバー機構８は、第４図，第１１図に詳細に示されるように、スライド案内機構２のレール２１のカバー機構スライド用溝２１４にスライド可能に収容された上下１対のスライダ８１と、スライダ８１の側部側に連結され長孔でスライド域を規制する規制プレート８２と、スライダ８１の前部側に連結されたカバープレート８３と、レール２１の回動基端側に位置するスライダ８１に連結されたワイア８４と、レール２１の回動基端に取付けられた支持プレート８５と、レール２１の回動基端側に位置するスライダ８１と支持プレート８５との間に掛渡されコイルスプリング８６と、取付基板１の当接片１１に取付けられてワイア８４の端末が連結されたリンク部８７と、レール２１に取付けられてリンク部８７に係止したフック８８とからなる。リンク部８７は、レール２１の前側への回動に伴って、フック８８で引起こされてワイア８４を繰出す。ワイア８４の繰出しは、カバープレート８３のスライドをもたらして戸板Ａ，Ｂの開閉の隙間を消失させる。
【００３２】
さらに、この第１例では、戸板Ａ，Ｂの閉鎖状態を保持する閉鎖保持機構９が設けられている。
【００３３】
この閉鎖保持機構９は、取付基板１の起立片１２に取付けられ取付ブラケット４に当接するローラ９１と、取付ブラケット４に取付けられた緩衝材９２とからなる。
この第１例によると、第１図，第２図に簡略化して示すように、戸板Ａ，Ｂを前側に引いた後に上昇または降下させて開閉することになる。
【００３４】
戸板Ａ，Ｂを前側に引いた際には、スライド案内機構２のレール２１が回動して後側の案内路２１１が引かれていない戸板Ａ，Ｂ側のレール２１の前側の案内路２１１に連通されることになる。この連通は、回動域規制機構５によって精密になされる。従って、走行体２２がレール２１の案内路２１１，２１２を僅かに方向変換しながらスムースに走行する。なお、閉鎖保持機構９のローラ９１は、戸板Ａ，Ｂの開閉に伴う取付ブラケット４の移動を転動して案内する。
【００３５】
また、戸板Ａ，Ｂを前側に引いた際には、回動位置保持機構６，ロック機構７によってスライド案内機構２のレール２１の後側への回動が阻止されているため、走行体２２がレール２１の案内路２１１，２１２を僅かに方向変換しながら確実に走行する。また、カバー機構８が戸板Ａ，Ｂの開閉の隙間を閉塞するため過って指を挟込むようなこともない。
【００３６】
即ち、スライド案内機構２のレール２１の回動構造が従来の技術のレール２１の配設の形状等を代替えしている。従って、スライド案内機構２の構造が簡素であるにもかかわらず戸板Ａ，Ｂの開閉がスムースになされる。
【００３７】
そして、この第１例では、戸板Ａ，Ｂの上昇の際にスライド補助機構３の重り３４が助勢力を発揮し、戸板Ａ，Ｂの降下の際にスライド補助機構３の重り３４が抵抗力を発揮する。従って、戸板Ａ，Ｂに掛かる重量荷重でスライド操作が重くなったり戸板Ａ，Ｂが急速に落下したりすることがなくなって、上下方向に配置された戸板Ａ，Ｂを安定的にスライド操作することができる。
【００３８】
第１５図は、本発明を実施するための最良の形態の第２例を示すものである。
【００３９】
この第２例では、スライド案内機構２のレール２１の案内路２１１，２１２を板形の両側部に突起形に形成し簡素なタイプとしてある。
【００４０】
第１６図は、本発明を実施するための最良の形態の第３例を示すものである。
【００４１】
この第３例では、戸板Ａ，Ｂを横方向へ配置している。
【００４２】
第１７図は、本発明を実施するための最良の形態の第４例を示すものである。
【００４３】
この第４例では、戸板Ａ，Ｂを１枚として上側の取付ブラケット４が通過する溝Ｓが設けられた盲板Ｃに重ねられるようにしている。盲板Ｃ側のスライド案内機構２のレール２１については、回動可能に構成されていない。
【００４３】
第１８図は、本発明を実施するための最良の形態の第４例を示すものである。
【００４４】
この第５例では、戸板Ａ，Ｂを１枚として左右側の取付ブラケット４が通過する溝Ｓが設けられた盲板Ｃに重ねられるようにしている。盲板Ｃ側のスライド案内機構２のレール２１については、回動可能に構成されていない。
【産業上の利用可能性】
【００４５】
本発明は、家屋の内装品や家具等に広範に適用が可能である。
【図１】
0004716874.tif 000002
【図２】
0004716874.tif 000003
【図３】
0004716874.tif 000004
【図４】
0004716874.tif 000005
【図５】
0004716874.tif 000006
【図６】
0004716874.tif 000007
【図７】
0004716874.tif 000008
【図８】
0004716874.tif 000009
【図９】
0004716874.tif 000010
【図１０】
0004716874.tif 000011
【図１１】
0004716874.tif 000012
【図１２】
0004716874.tif 000013
【図１３】
0004716874.tif 000014
【図１４】
0004716874.tif 000015
【図１５】
0004716874.tif 000016
【図１６】
0004716874.tif 000017
【図１７】
0004716874.tif 000018
【図１８】
0004716874.tif 000019